【事件の表示】
　特願２００４−　４９８０５「遊技場の会員管理装置」拒絶査定不服審判事件〔平成１７年　９月　８日出願公開、特開２００５−２３７５５４〕について、次のとおり審決する。
【結　論】
　
　本件審判の請求は、成り立たない。
【理　由】
　
第１　手続の経緯
　
　本件の経緯概要は以下のとおりである。
　
特許出願・審査請求　平成１６年２月２５日
拒絶理由　平成１９年８月７日
手続補正　平成１９年１０月５日
拒絶査定　平成１９年１１月２９日
審判請求　平成１９年１２月２８日
手続補正　平成２０年１月２４日
　
第２　平成２０年１月２４日付の手続補正についての補正却下の決定  
　  
［結論］  
　  
　平成２０年１月２４日付の手続補正（以下「本件補正」という。）を却下する。  
　  
［理由］  
　
１．本件補正の内容
　
　本件補正前（平成１９年１０月５日付の手続補正書）における特許請求の範囲の請求項１，２の記載、及び本件補正後（平成２０年５月７日付の手続補正書）における特許請求の範囲の請求項１の記載は、それぞれ次のとおりである。
　
［本件補正前の請求項１］
「遊技場の会員に係わる情報を管理する会員管理装置であって、
　会員の属性に関する１または２種以上の事項に係わる情報、および１または２種以上の遊技関連事項に係わる情報を会員別に登録するデータベースと、
　会員が遊技に投資した価値を示す投資情報と遊技の結果から会員が獲得可能な価値を示す換金情報とに基づいて、遊技の収支を示す勝敗情報を会員別に求める勝敗情報導出手段と、
　勝敗情報を複数の階級に区分けし、かつ各階級に属する会員を前記データベースに登録されている特定の事項に基づいてグループ分けし、前記階級毎に前記グループ単位での会員数の分布または分布指標を導出する分析手段と
　を有する
　ことを特徴とする会員管理装置。」
［本件補正前の請求項２］
「前記遊技関連事項が、来店回数、来店時間帯、平均遊技時間のいずれかを含むことを特徴とする請求項１に記載の会員管理装置。」
　
［本件補正後の請求項１］
「遊技場の会員に係わる情報を管理する会員管理装置であって、
　会員の属性に関する１または２種以上の事項に係わる情報、および来店回数と平均遊技時間のいずれかに係わる情報を会員別に登録するデータベースと、
　会員が遊技に投資した価値を示す投資情報と遊技の結果から会員が獲得可能な価値を示す換金情報とに基づいて、遊技の収支を示す勝敗情報を会員別に求める勝敗情報導出手段と、
　勝敗情報を複数の階級に区分けし、かつ各階級に属する会員を前記データベースに登録されている特定の事項に基づいてグループ分けし、前記階級毎に前記グループ単位での会員数の分布または分布指標を導出する分析手段と
　を有する
　ことを特徴とする会員管理装置。」
　
２．本件補正についての検討  
　  
　本件補正前の請求項１において「１または２種以上の遊技関連事項」とあり、これについて本件補正前の請求項２において「前記遊技関連事項が、来店回数、来店時間帯、平均遊技時間のいずれかを含む」とあったのに対して、本件補正後の請求項１では「来店回数と平均遊技時間のいずれか」となっている。つまり、本件補正前の請求項１を引用する請求項２と、本件補正後の請求項１とを比較しても、本件補正によって「来店回数、来店時間帯、平均遊技時間のいずれかを含む遊技関連事項の１または２種以上」を「来店回数と平均遊技時間のいずれか」と変更したものと判断でき、とすれば、少なくとも「来店回数、来店時間帯、平均遊技時間」という３つの要素から、「来店回数と平均遊技時間」という２つの要素に選択対象を減らしたものであり、択一的要素の削除に該当するものであるから、本件補正は特許請求の範囲の限定的減縮に該当すると判断できる。
　
　よって、本件補正後の請求項１に係る発明（以下「本願補正発明」という。）が独立して特許を受けることができるものであるかについて、以下検討することとする。
　
３．引用例  
　  
　原査定の拒絶理由において引用された特開２００４−３３６２２号公報（以下「引用文献１」という。）には、図面と共に以下の技術事項が記載されている。  
　
　　　【００１５】
　（実施例）
　図１は本実施例における会員管理装置である会員管理コンピュータ（ＣＰ）１２０並びに記録媒体管理装置であるシステムコントローラ１００とを有する遊技用システムの構成を示す図であり、この遊技用システムは、遊技場において複数配置された遊技島に並設される遊技機であるカードリーダ式パチンコ機（以下パチンコ機）２と、該パチンコ機２に対して１対１に対応設置される記録媒体処理装置としてのカードユニット３と、遊技場内の所定箇所に設置され、前記カードユニット３にて使用される遊技者特定用記録媒体である後述の会員カード３７に対し、投入された現金に該当する遊技用価値である度数を付与する入金処理を行う入金装置２１と、該会員カード３７に残存する遊技用価値である度数を現金に精算する精算処理を行う精算装置２２と、前記カードユニット３が不良となった際に、該不良のカードユニット３と交換するための予備のカードユニット３を収納されたカードユニットストッカ２０と、前記カードユニット３にて使用される後述の会員カード３７並びに遊技用記録媒体であるビジターカード３８の管理等を行う前記システムコントローラ１００と、前記会員カード３７を所持する会員遊技者の帰属情報を管理する会員管理コンピュータ１２０と、から主に構成されており、前記システムコントローラ１００、会員管理コンピュータ１２０、カードユニット３、カードユニットストッカ２０、入金装置２１並びに精算装置２２とはハブ（ＨＵＢ）７並びに中継器６並びに通信ケーブル８を介して双方向のデータ通信可能に接続されていて、各接続機器にはそれぞれローカルＩＰアドレスが付与されてローカルエリアネットワーク（ＬＡＮ）が形成されている。また、前記システムコントローラ１００と会員管理コンピュータ１２０とは個別の通信ケーブル１０を介して比較的高速のデータ通信を実施可能に接続されている。
　　　【００９１】
　次いで、遊技者管理装置を構成する会員管理コンピュータ１２０について説明すると、該会員管理コンピュータ１２０は、図１５に示すように、コンピュータ内部にてデータの送受を行うデータバス１２１に、該会員管理コンピュータ１２０が実施する会員の帰属情報を受け付けて会員ＩＤに対応付けて登録管理するとともに、これら会員カード３７の使用に基づく各情報に基づいてイベント評価等の各種の分析処理や後述の会員管理ＤＢの更新処理並びに前記システムコントローラ１００からの売上情報に基づく売上集計等の各種データの集計処理等を行うＣＰＵ１２２、ワークメモリ等として使用されるＲＡＭ１２３、時刻情報やカレンダ情報を出力するＲＴＣ１２４、磁気ディスクや光磁気ディスクから成る記憶装置１２５、新規会員に関する個人情報等の会員帰属情報等の各種情報を受け付けるためのキーボードやマウス等の入力装置１２６、機能選択を実施することで、例えば新規会員の登録画面や売上情報並びに未発行の会員カード３７の会員ＩＤや枚数等の情報を出力するための表示装置１２７並びにプリンタ１２８、前記システムコントローラ１００とのデータ通信を行う収集手段としての第１通信部１２９や前記カードユニット３（制御ユニット３２８）とのデータ通信を行う収集手段としての第２通信部１３０、が接続された通常のコンピュータである。
　　　【００９２】
　また、前記記憶装置１２５には、該会員管理コンピュータ１２０が処理を実施するための各種処理プログラムに加えて、図１６（ａ）に示すように、会員カード３７の会員ＩＤ並びに会員カードＩＤ毎に、対象となるイベントのイベントＮｏ．と、その時点の貯蓄玉数と、本人確認のための暗証番号と、来店回数と、来店ポイントと、最後の来店日と、これら来店回数や収支金額等に基づく会員ランクと、会員登録日、並びに当該会員カード３７を所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否等からなる会員遊技者の帰属情報と、当該会員カード３７を所持する会員遊技者が本日イベント対象者であるか否かを示すイベント対象者フラグ（本日のイベント対象者である場合には「Ｙｅｓ」が登録され、イベント対象者ではない場合には「Ｎｏ」が登録される）と、図２８に示す後述する会員登録／変更画面において新規登録または登録変更が実施された場合に登録される更新状況（新規登録または登録変更が実施された場合には「Ｙｅｓ」が登録され、これら新規登録または登録変更に基づく登録内容が、前記システムコントローラ１００の前記会員属性情報テーブルに反映された時点で「Ｎｏ」が登録される）と、新規会員の帰属情報等の各種情報の登録がなされた際に「未」から「既」が登録される発行状況と、が登録される会員情報テーブル（遊技者データベース）が記憶されており、前記発行状況には、前記システムコントローラ１００から送信されてきた新規発行可能な会員ＩＤ並びに会員カードＩＤが登録された際に、「未」が登録されて、該発行状況を確認することで、その時点にて未発行でかつ発行可能な会員カード３７を選出できるようになっている。
　　　【００９４】
　更に、前記記憶装置１２５には、図１７（ｃ）に示すように、各会員遊技者の遊技履歴として、遊技（来店）日、遊技した台番号、遊技開始時間並びに終了時間と特賞回数と遊技時間、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額と遊技場の勝敗、とが各会員遊技者毎に登録されている会員来店履歴データベース（ＤＢ）が記憶されている。
　　　【００９５】
　また、前記記憶装置１２５には、図１７（ｄ）に示すように、前記締め処理に基づきシステムコントローラ１００から出力される各カードユニット３毎の会員並びにビジターの各売上並びに総売上情報とともに、前記カードユニット３から出力される前記補給球総数レジスタやアウト球総数レジスタに記憶されている営業開始時点からの補給球総数とアウト球総数の差球に基づき算出されるパチンコ機２の支出金額や、収支金額、並びに前記アウト球総数をパチンコ機２において単位時間（１分間）に打ち出させる平均打出数で除することで得られる稼働時間（分）や営業時間に占める稼働時間（分）の割合である稼働率とが、各台番号とその台タイプ並びに機種と島番号とともに登録される台別履歴データベース（ＤＢ）が記憶されており、これら各データベースに登録されている情報に基づいて、後述する各種情報の出力やイベント効果の集計が実施されるようになっている。尚、本実施例において支出金額の算出方法としては、前記補給球総数（補給球数（ＩＮ））からアウト球総数（アウト球数（ＯＵＴ））を差し引いた差球数に特殊景品との交換率を乗じて支出金額を算出している。尚、前記したように、不利益情報としてパチンコ機からの賞球信号を使用する場合においては、これら賞球信号に基づく賞球総数からアウト球総数（アウト球数（ＯＵＴ）を差し引いた差球数に特殊景品との交換率を乗じて支出金額を算出するようにしても良い。
　　　【０１４３】
　また、この返却時においては図２２に示すように、前記制御ユニット３２８は会員管理コンピュータ１２０へ、前記会員補給球数（ＩＮ）レジスタ並びに会員アウト球数（ＯＵＴ）レジスタの情報並びに前記会員特賞回数レジスタに記憶されている補給球数（ＩＮ）と打ち込み球数（ＯＵＴ）と大当り回数の各データと、返却される会員カード３７の会員ＩＤ並びに装置ＩＤとを含む会員カード抜き取り通知を送信する。この会員カード抜き取り通知を受信することにより、会員管理コンピュータ１２０は、該会員カード３７の挿入時において前記会員来店履歴データベース（ＤＢ）に登録した前記遊技開始時刻に対応する遊技終了時刻にその時点の時間を登録してこれら開始並びに終了時間から遊技時間を算出して登録するとともに、前記受信した大当り回数を登録する。
　　　【０１４４】
　また、前記にて受信した前記補給球数（ＩＮ）と打ち込み球数（ＯＵＴ）との差数から該会員遊技者の遊技における遊技場側の支出を算出し、前記会員来店履歴データベース（ＤＢ）に登録した後、前記システムコントローラ１００に対して該会員遊技者の会員ＩＤと装置ＩＤとを送信して使用度数照会を実施することで、前記会員遊技履歴テーブルに登録されている該当する使用度数を入手して、該入手した使用度数に基づきその会員遊技者が該遊技にて使用した消費（売上）金額を特定して前記会員来店履歴データベース（ＤＢ）の売上金額に登録し、この売上金額と前記の支出金額より収支金額を算出登録するとともに、その遊技場から見た勝ち負けを登録することで、各会員遊技者の遊技履歴の情報が収集されて前記会員来店履歴データベース（ＤＢ）に登録、管理されるようになっており、これら各会員の収支等の情報が図３８に示す個人履歴画面にて表示される。
　　　【０１６２】
　このようにして会員管理コンピュータ１２０に収集、記憶された各種情報に基づき、前記した表示装置１２７に表示される各種メニュータブ５０４を選択した場合において、どのような内容の情報（集計結果）表示がなされるのかについて、以下に簡単に説明する。
　　　【０１７３】
　次いで、「ＡＢＣ分析」のメニュータブを選択した場合は、前記サブメニュー表示域５０３には、「時間推移」、「日単位」、「月単位」、の３項目が表示されるとともに、前記表示領域５０２には、「時間推移」の選択した際に入力を行うための日付指定項目と、前記「日単位」或いは「月単位」の項目を選択した際に入力を行うための期間指定項目とが表示される。ここで、これら３種類のサブメニューから所望する１項目、例えば「時間推移」を選択するとともに、前記日付指定項目に分析を所望する日、例えばデフォルトにて表示されている営業前日を指定して機能ボタン域５０５に表示されている「表示」ボタンを選択することで、予め来店回数、消費金額、収支金額のレベル毎にＡ〜Ｇに分類された会員遊技者の来店者数が、予め設定された各時間帯に集計され、積木、折線、円グラフ等のグラフにて表示される。
　　　【０１７５】
　次いで、「検索」のメニュータブを選択した場合は、図２６に示すように、前記サブメニュー表示域５０３には、「会員詳細」、「個人情報」、の２項目が表示される。まず、「会員詳細」は、登録されている会員の中から所定の条件に合致した全ての会員を抽出したい場合に選択され、該「会員詳細」を選択すると前記表示領域５０２には、検索条件の各項目属性と検索条件がマトリックス状に表示された検索条件選択画面が表示される。このマトリックス状に表示された各検索項目から目的の検索内容に該当するものを選択して条件を指定していく。例えば２０代男性で、会社員であり、ランクがＡランクである会員を検索したい場合には、世代の項目を選択して２０代を指定し、性別の項目で男性を指定し、職業を選択して会社員を指定し、ランクを選択してＡランクを指定した後、検索を実行することで、前記条件に合致する会員の一覧が前記表示領域５０２に表示され、これら表示された会員一覧から特定の会員を選択して該会員の個人情報や図２９に示すような個人履歴を表示させることができるようになっている。
　
　よって、引用文献１における記載事項及び図面を総合的に勘案すると、引用文献１には、次の発明（以下「引用発明」という。）が記載されている。  
　
「会員管理装置である会員管理コンピュータ（ＣＰ）１２０並びに記録媒体管理装置であるシステムコントローラ１００とを有する遊技用システムであって、
　この遊技用システムは、遊技場において複数配置された遊技島に並設される遊技機であるカードリーダ式パチンコ機（以下パチンコ機）２と、該パチンコ機２に対して１対１に対応設置される記録媒体処理装置としてのカードユニット３と、遊技場内の所定箇所に設置され、前記カードユニット３にて使用される遊技者特定用記録媒体である後述の会員カード３７に対し、投入された現金に該当する遊技用価値である度数を付与する入金処理を行う入金装置２１と、該会員カード３７に残存する遊技用価値である度数を現金に精算する精算処理を行う精算装置２２と、前記カードユニット３にて使用される会員カード３７の管理等を行う前記システムコントローラ１００と、前記会員カード３７を所持する会員遊技者の帰属情報を管理する会員管理コンピュータ１２０と、から構成され、
　遊技者管理装置を構成する会員管理コンピュータ１２０は、会員管理コンピュータ１２０が実施する会員の帰属情報を受け付けて会員ＩＤに対応付けて登録管理するとともに、磁気ディスクや光磁気ディスクから成る記憶装置１２５、キーボードやマウス等の入力装置１２６、機能選択を実施することで、例えば新規会員の登録画面や売上情報並びに未発行の会員カード３７の会員ＩＤや枚数等の情報を出力するための表示装置１２７並びにプリンタ１２８、前記システムコントローラ１００とのデータ通信を行う収集手段としての第１通信部１２９や前記カードユニット３（制御ユニット３２８）とのデータ通信を行う収集手段としての第２通信部１３０、が接続された通常のコンピュータであって、
　前記記憶装置１２５には、該会員管理コンピュータ１２０が処理を実施するための各種処理プログラムに加えて、会員カード３７の会員ＩＤ並びに会員カードＩＤ毎に、対象となるイベントのイベントＮｏ．と、その時点の貯蓄玉数と、本人確認のための暗証番号と、来店回数と、来店ポイントと、最後の来店日と、これら来店回数や収支金額等に基づく会員ランクと、会員登録日、並びに当該会員カード３７を所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否等からなる会員遊技者の帰属情報と、が登録される会員情報テーブル（遊技者データベース）が記憶されており、
　更に、前記記憶装置１２５には、各会員遊技者の遊技履歴として、遊技（来店）日、遊技した台番号、遊技開始時間並びに終了時間と特賞回数と遊技時間、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額と遊技場の勝敗、とが各会員遊技者毎に登録されている会員来店履歴データベース（ＤＢ）が記憶されており、
　前記制御ユニット３２８は、会員管理コンピュータ１２０へ、前記会員補給球数（ＩＮ）レジスタ並びに会員アウト球数（ＯＵＴ）レジスタの情報並びに前記会員特賞回数レジスタに記憶されている補給球数（ＩＮ）と打ち込み球数（ＯＵＴ）と大当り回数の各データと、返却される会員カード３７の会員ＩＤ並びに装置ＩＤとを含む会員カード抜き取り通知を送信し、この会員カード抜き取り通知を受信することにより、会員管理コンピュータ１２０は、該会員カード３７の挿入時において前記会員来店履歴データベース（ＤＢ）に登録した前記遊技開始時刻に対応する遊技終了時刻にその時点の時間を登録してこれら開始並びに終了時間から遊技時間を算出して登録するとともに、前記受信した大当り回数を登録し、また、前記にて受信した前記補給球数（ＩＮ）と打ち込み球数（ＯＵＴ）との差数に特殊景品との交換率を乗じて該会員遊技者の遊技における遊技場側の支出金額を算出し、尚、パチンコ機からの賞球信号を使用する場合においては、これら賞球信号に基づく賞球総数からアウト球総数（アウト球数（ＯＵＴ）を差し引いた差球数に特殊景品との交換率を乗じて支出金額を算出するようにしても良く、前記会員来店履歴データベース（ＤＢ）に登録した後、前記システムコントローラ１００に対して該会員遊技者の会員ＩＤと装置ＩＤとを送信して使用度数照会を実施することで、前記会員遊技履歴テーブルに登録されている該当する使用度数を入手して、該入手した使用度数に基づきその会員遊技者が該遊技にて使用した消費（売上）金額を特定して前記会員来店履歴データベース（ＤＢ）の売上金額に登録し、この売上金額と前記の支出金額より収支金額を算出登録するとともに、その遊技場から見た勝ち負けを登録することで、各会員遊技者の遊技履歴の情報が収集されて前記会員来店履歴データベース（ＤＢ）に登録、管理されるようになっており、
　会員管理コンピュータ１２０に収集、記憶された各種情報に基づき、前記した表示装置１２７に表示される各種メニュータブ５０４として、
　「ＡＢＣ分析」のメニュータブを選択した場合は、前記サブメニュー表示域５０３には、「時間推移」、「日単位」、「月単位」、の３項目が表示されるとともに、前記表示領域５０２には、「時間推移」の選択した際に入力を行うための日付指定項目と、前記「日単位」或いは「月単位」の項目を選択した際に入力を行うための期間指定項目とが表示され、ここで、これら３種類のサブメニューから所望する１項目、例えば「時間推移」を選択するとともに、前記日付指定項目に分析を所望する日、例えばデフォルトにて表示されている営業前日を指定して機能ボタン域５０５に表示されている「表示」ボタンを選択することで、予め来店回数、消費金額、収支金額のレベル毎にＡ〜Ｇに分類された会員遊技者の来店者数が、予め設定された各時間帯に集計され、積木、折線、円グラフ等のグラフにて表示され、
　「検索」のメニュータブを選択した場合は、例えば２０代男性で、会社員であり、ランクがＡランクである会員を検索したい場合には、世代の項目を選択して２０代を指定し、性別の項目で男性を指定し、職業を選択して会社員を指定し、ランクを選択してＡランクを指定した後、検索を実行することで、前記条件に合致する会員の一覧が前記表示領域５０２に表示される
　遊技用システム。」
　
４．対比  
　
　ここで、本願補正発明と引用発明とを対比する。
　引用発明における「遊技用システム」とは、「会員カード３７の管理等を行う前記システムコントローラ１００と、前記会員カード３７を所持する会員遊技者の帰属情報を管理する会員管理コンピュータ１２０」とを有するものであるから、本願補正発明における「遊技場の会員に係わる情報を管理する」という構成を備えることは明らかである。よって、引用発明の「遊技用システム」とは本願補正発明の「会員管理装置」に相当する。
　引用発明における「当該会員カード３７を所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否等からなる会員遊技者の帰属情報」は、本願補正発明における「会員の属性に関する１または２種以上の事項に係わる情報」に相当する。また、引用発明においては、「各会員遊技者の遊技履歴として、遊技（来店）日、遊技した台番号、遊技開始時間並びに終了時間と特賞回数と遊技時間…とが各会員遊技者毎に登録されている」ものであって、さらに「会員管理コンピュータ１２０に収集、記憶された各種情報」に基づく表示において「来店回数」も分類対象としているものであるから、登録された遊技履歴としての「遊技（来店）日」は、本願補正発明における「来店回数に係わる情報」に相当する。そして、引用発明における「会員情報テーブル（遊技者データベース）」及び「会員来店履歴データベース（ＤＢ）」とは、本願補正発明における「データベース」に相当する。
　そして、引用発明において「遊技場側の支出金額」とは、「前記補給球数（ＩＮ）と打ち込み球数（ＯＵＴ）との差数に特殊景品との交換率を乗じて」算出しているから、引用発明における「該会員遊技者の遊技における遊技場側の支出金額」は、本願補正発明の「遊技の結果から会員が獲得可能な価値を示す換金情報」に相当するものであり、また引用発明における「その会員遊技者が該遊技にて使用した消費（売上）金額」は、本願補正発明の「会員が遊技に投資した価値を示す投資情報」に相当する。そして、引用発明も「この売上金額と前記の支出金額より収支金額を算出するとともに、その遊技場から見た勝ち負けを登録」しているから、本願補正発明における「…投資情報と…換金情報とに基づいて、遊技の収支を示す勝敗情報を会員別に求める勝敗情報導出手段」を備えているものである。
　さらに、引用発明は「会員管理コンピュータ１２０に収集、記憶された各種情報」に基づいて「収支金額のレベル毎にＡ〜Ｇに分類された会員遊技者の来店者数」が表示されるものであって、ここで引用発明における「収支金額のレベル毎にＡ〜Ｇに分類」とは、本願補正発明における「勝負情報を複数の階級に区分け」したものに相当し、また引用発明における「会員遊技者の来店者数」の表示とは、本願補正発明の「前記階級毎に会員数の分布を導出」したものに相当する。よって、引用発明における「収支金額のレベル毎にＡ〜Ｇに分類された会員遊技者の来店者数が…表示」される手段は、本願補正発明における「会員数の分布を導出する分析手段」に相当すると判断される。
　
　よって、引用発明と本願補正発明は、
「遊技場の会員に係わる情報を管理する会員管理装置であって、
　会員の属性に関する１または２種以上の事項に係わる情報、および来店回数に係わる情報を会員別に登録するデータベースと、
　会員が遊技に投資した価値を示す投資情報と遊技の結果から会員が獲得可能な価値を示す換金情報とに基づいて、遊技の収支を示す勝敗情報を会員別に求める勝敗情報導出手段と、
　勝敗情報を複数の階級に区分けし、前記階級毎に会員数の分布を導出する分析手段と
　を有する会員管理装置。」
の点で一致し、以下の点で相違している。
　
［相違点］
　本願補正発明においては、遊技の収支を示す勝敗情報の複数の階級について、「各階級に属する会員を前記データベースに登録されている特定の事項に基づいてグループ分け」し、前記階級毎に「前記グループ単位での」会員数の分布を導出しているのに対して、引用発明においてはかかる構成を備えているか不明である点。
　
５．相違点の判断  
　
　上記相違点について検討する。
　
　特開２００３-３３５４０号公報には、会員売上金額のＡ〜Ｃランクと性別（男性／女性）に基づいてグループ分けした会員数の分布を表示する点が（段落【０１７２】、図４２参照）、特開平１０−１３７４３０号公報には、年代（１０代〜８０代以上の８階級）と性別（男性／女性）に基づいて会員の比率を表示する点（段落【０２８６】、図３０（ａ）参照）が記載されているように、各種データの集計手段において、必要に応じた２種類の項目によってマトリックス状に分布表示を行うことは、遊技場における管理装置の分野においても周知の技術である。
　引用発明においては、収支金額のレベル毎の会員数を表示する例しか開示されていないが、引用発明においても、「会員遊技者の帰属情報」として「性別、年齢、誕生日」等が、また「各会員遊技者の遊技履歴」として、「収支金額」の他に「遊技（来店）日、遊技時間」等が登録されており、そして検索を実行する際にも、指定キーとしても「ランク」、「２０代」、「男性」といった項目を選択指定し、それに基づく結果表示を行っており、集計表示においてこれらの登録された項目に基づいた集計を行うことに何ら阻害要因もないから、それらのデータ項目から所要の項目を選択し、必要に応じてグループ分けを行って、「収支金額」のレベル毎に、所要の項目のグループ単位での会員数の分布を集計表示することは、当業者にとって格別の困難無く容易に設計できたことである。
　よって、相違点にかかる本願補正発明の構成は、引用発明及び周知技術から当業者が容易に想到できた範囲のものというべきであり、そして、本願補正発明の作用効果も、引用発明及び周知技術から当業者が予測できる範囲のものである。  
　
　したがって、本願補正発明は、当業者が容易に発明をすることができたものであるから、特許法第２９条第２項の規定により特許出願の際独立して特許を受けることができないものである。  
　  
６．補正却下の決定におけるむすび  
　  
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。  
  
第３　本願発明について  
　  
１．本願発明  
　
　本件補正は上記のとおり却下されたので、本願の請求項１にかかる発明（以下「本願発明」という。）は、上記「第２［理由］１．」に本件補正前の請求項１として記載したとおりのものである。 
　  
２．引用例
　
　引用文献１及びその記載事項は、上記「第２［理由］３．」に記載したとおりのものである。  
　
３．対比・判断
　  
　本願補正発明は、上記「第２［理由］２．」に記載したように、本願発明に限定的減縮を加えたものであるとして独立特許要件（進歩性）の有無を検討したものであって、上記「第２［理由］５．」のとおり、本願補正発明は、引用発明及び周知技術に基づき当業者が容易に発明をすることができたものであるから、本願補正発明から前記限定を除いた本願発明も、同様の理由により、当業者が容易に発明をすることができたものである。
　
　したがって、本願発明は、特許法第２９条第２項の規定により特許を受けることができないものである。  
　
第４　むすび  
　  
　以上のとおり、本件補正は却下され、そして、本願発明は原査定の拒絶の理由に基づいて特許を受けることができないものであるから、その余の請求項について検討するまでもなく、本願は拒絶を免れない。
　  
　よって、結論のとおり審決する。